(57)【要約】【課題】三角形状の間隙領域を小さく見えるようにして、外観品質の向上を図り、かつ水平基調のデザインを実現することができる車両のモール部材配設構造を提供することを目的とする。【解決手段】加飾モール６が、リフトゲート２の後面に沿うように延びて、車両後方に配光するリアコンビランプ１を車両後方から部分的に覆うように延設され、リアコンビランプ１（内側ランプ部１Ｂのアウターレンズ１５）は、リフトゲート本体４と加飾モール６とで挟まれると共に、車幅方向の端部が尖頭部１５ｄで構成される意匠面部１５ａを有しており、尖頭部１５ｄと、リフトゲート本体４と、加飾モール６との間には、略三角形状の間隙領域Ａｔｒが形成され、リアコンビランプ１は、加飾モール６よりも車両前方において間隙領域Ａｔｒを隠蔽する奥面部１５ｃが、意匠面部１５ａと一体に形成されている。【選択図】図４
2015189351.tif 000002
【特許請求の範囲】
【請求項１】
車体に配設されるモール部材が、車両側面に沿うように延びて、車両外方に配光する灯体を外方から部分的に覆うように延設された車両のモール部材配設構造であって、
前記灯体は、車体部材と前記モール部材とで挟まれると共に、車両側面方向の端部が尖頭部で構成される意匠面部を有しており、
前記尖頭部と、前記車体部材と、前記モール部材との間には、略三角形状の間隙領域が形成され、
前記灯体は、前記モール部材よりも車両内方において前記間隙領域を隠蔽する奥面部が、前記意匠面部と一体に形成された
車両のモール部材配設構造。
【請求項２】
前記灯体は、前記モール部材の背部で該背部に沿って延びるモール背部対応面部を有しており、
前記奥面部は、前記モール背部対応面部よりも車両外方に段上げ形成されている
請求項１記載の車両のモール部材配設構造。
【請求項３】
前記モール部材は、前記奥面部の車両外方において、車両外方に凹設している
請求項１または２記載の車両のモール部材配設構造。
【請求項４】
前記車体部材は、前記奥面部の車両内方において、車両内方に凹設している
請求項１〜３のいずれか一項に記載の車両のモール部材配設構造。
【請求項５】
前記奥面部と前記意匠面部とは、同色の着色が施されている
請求項１〜４のいずれか一項に記載の車両のモール部材配設構造。
【請求項６】
前記尖頭部は、前記灯体の上部に形成されている
請求項１〜５のいずれか一項に記載の車両のモール部材配設構造。
【請求項７】
前記モール部材は、その先端が車幅方向外方を向くように延設され、
前記意匠面部は、車幅方向内方側端部が前記尖頭部で構成されている
請求項１〜６のいずれか一項に記載の車両のモール部材配設構造。
【発明の詳細な説明】
【技術分野】
【０００１】
この発明は、車体に配設されるモール部材が、車両側面に沿うように延びて、車両外方に配光する灯体を外方から部分的に覆うように延設された車両のモール部材配設構造に関する。
【背景技術】
【０００２】
従来、下記特許文献１に開示されているように、車両後部のバックドア等の車体にモール部材（加飾モール）を設けることが行われている。このモール部材は、左右のリアコンビランプ等の灯体の間や、灯体の上方又は下方に設けられることが多い。
【０００３】
ここで、モール部材を車両側面方向に延ばして、灯体の車両外部を覆うように設けることで、灯体にモール部材が突き刺さるような斬新なデザインを実現しようとした場合において、灯体の意匠面部を尖るように設けようとすると、部品の分割ラインはモール部材まで延びるが、灯体の意匠面部は、先端部に向かうに従って徐々に細くなるように設けられる際に、成型限界により一定値以下の幅で設けることができないという制約が生じてしまう。
【０００４】
このため、灯体と車体部材とモール部材との間に三角形状の間隙領域が形成され、灯体の意匠面部の尖頭部が周辺から浮いて見える等、外観上好ましくない事態を招いてしまう。
【０００５】
そこで、モール部材を部分的に突出させて前記間隙領域を埋めることが考えられるが、この場合、真直ぐ延びるモール部材にいびつな形状が加わるため、外観上好ましくない。また、前記間隙領域を他の部材で埋める場合も、別部品を用いるため、コストの増大する上に、車体の色によっても外観の良し悪しが異なってしまう。
【先行技術文献】
【特許文献】
【０００６】
【特許文献１】特開２０１２−１８８０６３号公報
【発明の概要】
【発明が解決しようとする課題】
【０００７】
この発明は、三角形状の間隙領域を小さく見えるようにして、外観品質の向上を図り、かつ水平基調のデザインを実現することができる車両のモール部材配設構造を提供することを目的とする。
【課題を解決するための手段】
【０００８】
この発明の車両のモール部材配設構造は、車体に配設されるモール部材が、車両側面に沿うように延びて、車両外方に配光する灯体を外方から部分的に覆うように延設された車両のモール部材配設構造であって、前記灯体は、車体部材と前記モール部材とで挟まれると共に、車両側面方向の端部が尖頭部で構成される意匠面部を有しており、前記尖頭部と、前記車体部材と、前記モール部材との間には、略三角形状の間隙領域が形成され、前記灯体は、前記モール部材よりも車両内方において前記間隙領域を隠蔽する奥面部が、前記意匠面部と一体に形成されたものである。
【０００９】
この構成によれば、意匠面部と一体に形成される奥面部によって三角形状の間隙領域を小さく見えるようにすることができ、これによって、外観品質の向上を図ることができる。そして、この場合、モール部材を部分的に突出させる等の対応が不要となるため、水平基調のデザインを実現できるという効果を奏することもできる。
【００１０】
この発明の一実施態様においては、前記灯体は、前記モール部材の背部で該背部に沿って延びるモール背部対応面部を有しており、前記奥面部は、前記モール背部対応面部よりも車両外方に段上げ形成されているものである。
【００１１】
この構成によれば、灯体における奥面部と意匠面部との段差（間隙の奥行）を小さくして、外観品質を向上させることができる。
【００１２】
この発明の一実施態様においては、前記モール部材は、前記奥面部の車両外方において、車両外方に凹設しているものである。
【００１３】
この構成によれば、モール部材を車両外方に凹設した分、奥面部を車両外方の位置に設定することができる。これにより、灯体における奥面部と意匠面部との段差（間隙の奥行）を小さくして、外観品質を向上させることができる。
【００１４】
この発明の一実施態様においては、前記車体部材は、前記奥面部の車両内方において、車両内方に凹設しているものである。
【００１５】
この構成によれば、リフトゲートの厚みが増大することを抑制することができる。
【００１６】
この発明の一実施態様においては、前記奥面部と前記意匠面部とは、同色の着色が施されているものである。
【００１７】
この構成によれば、間隙領域が小さく見える効果を視覚的に強調することができ、これによって、外観品質をより向上させることができる。
【００１８】
この発明の一実施態様においては、前記尖頭部は、前記灯体の上部に形成されているものである。
【００１９】
この構成によれば、外観品質向上の効果がより顕著になる。詳しくは、車両を外部から見る時の視線は、上方から下方に向けられるのが一般的であり、尖頭部が上部に位置している場合には、間隙領域がより目立つことになる。従って、尖頭部（間隙領域）が灯体の上部に形成された場合には、外観品質向上の効果がより顕著になる。
【００２０】
この発明の一実施態様においては、前記モール部材は、その先端が車幅方向外方を向くように延設され、前記意匠面部は、車幅方向内方側端部が前記尖頭部で構成されているものである。
【００２１】
この構成によれば、例えば、左右両端部に一対の灯体が配設されるような構成である場合、１つのモール部材で灯体同士を連結するようなデザインを実現できる。これにより、間隙領域の見栄え向上による外観品質の向上、及び水平基調のデザイン実現という効果に加え、一対の灯体とモール部材との間に一体感のある斬新なデザインを提供することができる。
【発明の効果】
【００２２】
この発明によれば、三角形状の間隙領域を小さく見えるようにして、外観品質の向上を図り、かつ水平基調のデザインを実現することができる車両のモール部材配設構造を提供することができる。
【図面の簡単な説明】
【００２３】
【図１】本発明の実施形態に係るモール部材配設構造を備えた車両後部を示す斜視図。
【図２】車両後部の要部を示す正面図。
【図３】同平面図。
【図４】同斜視図。
【図５】図３のＡ−Ａ線矢視断面図。
【図６】図３のＢ−Ｂ線矢視断面図。
【図７】図３のＣ−Ｃ線矢視断面図。
【図８】図３のＤ−Ｄ線矢視断面図。
【図９】図３のＥ−Ｅ線矢視断面図。
【図１０】リアコンビランプの内側ランプ部を示す斜視図。
【図１１】加飾モールの要部を示す斜視図。
【発明を実施するための形態】
【００２４】
以下、図面に基づいて本発明の実施形態を詳述する。  
図１は、本発明の実施形態に係るモール部材配設構造を備えた車両後部を示す斜視図であり、図１に示す車両Ｖは、ハッチバック型の車両であり、その後部には、リアコンビランプ１が左右一対設けられると共に、上方に開放する上開き構造のリフトゲート２が図示しないヒンジにより開閉可能とされている。そして、車両Ｖの後部下端には、合成樹脂製のリアバンパーフェイス３が配設されている。
【００２５】
リアコンビランプ１は、予め定められた所定の色の光を車両後方（外方）に配光することでストップランプやターンシグナル用のランプとして機能するものである。本実施形態では、このリアコンビランプ１が車体側とリフトゲート２側とで二分割されており、車体側の外側ランプ部１Ａと、リフトゲート２側の内側ランプ部１Ｂとで構成されている。
【００２６】
図２は、車両後部の要部を示す正面図であり、図３、図４は、それぞれ同平面図、同斜視図である。また、図５〜図９は、それぞれ、図３のＡ−Ａ線矢視断面図、Ｂ−Ｂ線矢視断面図、Ｃ−Ｃ線矢視断面図、Ｄ−Ｄ線矢視断面図、Ｅ−Ｅ線矢視断面図である。リフトゲート２は、図１〜図９に示すように、リフトゲート本体４と、バックウインドウ５とを備えると共に、リアコンビランプ１の内側ランプ部１Ｂと、加飾モール６とを備えている。
【００２７】
加飾モール６は、図１、図２に示すように、リフトゲート２の後面（車両側面）に沿うように車幅方向に延びると共に、その先端が車幅方向外方を向くように設けられ、左右一対のリアコンビランプ１（内側ランプ部１Ｂ）同士を連結するように配設されている。そして、加飾モール６の車幅方向両端部は、図１〜図８に示すように、内側ランプ部１Ｂの車幅方向内方側でその車両後部（外部）を部分的に覆うように設けられており、これによって、リアコンビランプ１（内側ランプ部１Ｂ）に加飾モール６が突き刺さるようなデザインを実現している。
【００２８】
図１０は、内側ランプ部１Ｂを示す斜視図である。リアコンビランプ１の内側ランプ部１Ｂは、図１〜図１０に示すように、光源部材としてのバルブ１１と、バルブ１１から照射される光を反射するリフレクタ１２と、外観上の観点から内側ランプ部１Ｂの内部を遮蔽するエクステンション１３と、これらバルブ１１、リフレクタ１２、エクステンション１３を収容するハウジング１４と、ハウジング１４の後部開口を閉じるように配設されたアウターレンズ１５とを備えている。
【００２９】
ハウジング１４は、図３、図７に示すように、ボルト２０、ナット２１によりリフトゲート本体４に締結固定されており、これによって、内側ランプ部１Ｂはリフトゲート２に取付けられている。
【００３０】
アウターレンズ１５は、合成樹脂製の半透明の部材であり、内側ランプ部１Ｂにストップランプとしての機能を持たせるべく、全体的に赤色の着色が施されている。
【００３１】
また、アウターレンズ１５では、図２〜図１０に示すように、リフトゲート本体４と加飾モール６とで挟まれて外表面を構成する意匠面部１５ａと、該意匠面部１５ａよりも車両前方に段下げ形成されたモール背部対応面部１５ｂと、該モール背部対応面部１５ｂよりも車両後方に段上げ形成された奥面部１５ｃとが一体に形成されている。
【００３２】
意匠面部１５ａの車幅方向内方側端部では、加飾モール６の上下に、先端部に向かうに従って徐々に細くなる形状を有する尖頭部１５ｄが形成されており、加飾モール６の上側では、尖頭部１５ｄと、リフトゲート本体４と、加飾モール６との間に、略三角形状の間隙領域Ａｔｒが形成されている。
【００３３】
モール背部対応面部１５ｂは、加飾モール６の背部で該背部に沿って延びており、加飾モール６の車幅方向両端部は、図３〜図７に示すように、それぞれモール背部対応面部１５ｂを底面とする凹部空間に嵌め込まれる。
【００３４】
奥面部１５ｃは、図３、図４、図７、図８、図１０に示すように、モール背部対応面部１５ｂの車幅方向内側端部の上部に形成されており、上側の尖頭部１５ｄの下部から車幅方向内側にかけて車幅方向に延設されている。このため、モール背部対応面部１５ｂを底面とする上記凹部空間に加飾モール６の車幅方向両端部が嵌め込まれたときには、奥面部１５ｃが間隙領域Ａｔｒと対応する位置に配置されるようになっている。
【００３５】
そして、本実施形態では、奥面部１５ｃが上述したようにモール背部対応面部１５ｂよりも車両後方に段上げ形成されていることで、これが車両前後方向においてモール背部対応面部１５ｂよりも尖頭部１５ｄ側に位置していることになる。このため、加飾モール６よりも車両前方（内方）では、間隙領域Ａｔｒが奥面部１５ｃによって隠蔽されるようになっている。
【００３６】
ところで、モール背部対応面部１５ｂには、図６、図１０に示すように、モール取付け孔１５ｅが形成されており、このモール取付け孔１５ｅには、ハウジング１４に形成されたモール取付け部１４ａが嵌め込まれている。このモール取付け部１４ａには、長孔形状のクリップ挿通孔１４ｂが形成されており、図６に示す加飾モール６側のクリップ２２を車両後方からクリップ挿通孔１４ｂに挿入して、その縁部にクリップ２２を係止させることで、加飾モール６の車幅方向両端部が内側ランプ部１Ｂに固定されている。
【００３７】
また、加飾モール６の車幅方向中央部下側には、図２、図７〜図９に示すように、モール取付け部材２３が取付けられており、このモール取付け部材２３の一部には、図３、図９に示すように、円柱状の取付け座部２３ａが一体形成されている。この取付け座部２３ａの内部には、ボルト２４がセットされており、リフトゲート本体４側からナット２５を螺合させることによって、モール取付け部材２３がリフトゲート本体４に締結固定されている。これにより、加飾モール６の車幅方向中央部は、モール取付け部材２３を介してリフトゲート本体４に固定されている。
【００３８】
そして、加飾モール６には、図３、図４、図７、図８、図１１に示すように、車両後方に凹設した凹設部６ａが形成されている。加飾モール６が内側ランプ部１Ｂ及びリフトゲート本体４に固定された状態では、この凹設部６ａが内側ランプ部１Ｂの奥面部１５ｃの車両後方（外方）に位置している。
【００３９】
また、リフトゲート本体４は、図３、図４に示すように、奥面部の車両前方（内方）において車両前方に凹設する凹設部４ａが形成されている。
【００４０】
以上に示したように、本実施形態の車両Ｖのモール部材配設構造は、車体（リフトゲート２）に配設される加飾モール６が、リフトゲート２の後面（車両側面）に沿うように延びて、車両後方（外方）に配光するリアコンビランプ１を車両後方から部分的に覆うように延設された車両Ｖのモール部材配設構造であって、リアコンビランプ１（内側ランプ部１Ｂのアウターレンズ１５）は、リフトゲート本体４と加飾モール６とで挟まれると共に、車幅方向（車両側面方向）の端部が尖頭部１５ｄで構成される意匠面部１５ａを有しており、尖頭部１５ｄと、リフトゲート本体４と、加飾モール６との間には、略三角形状の間隙領域Ａｔｒが形成され、リアコンビランプ１は、加飾モール６よりも車両前方（内方）において間隙領域Ａｔｒを隠蔽する奥面部１５ｃが、意匠面部１５ａと一体に形成されている。
【００４１】
上述した車両Ｖのモール部材配設構造によれば、意匠面部１５ａと一体に形成される奥面部１５ｃによって三角形状の間隙領域Ａｔｒを小さく見えるようにすることができ、これによって、外観品質の向上を図ることができる。そして、この場合、加飾モール６を部分的に突出させる等の対応が不要となるため、水平基調のデザインを実現できるという効果を奏することもできる。
【００４２】
また、本実施形態の車両Ｖのモール部材配設構造では、リアコンビランプ１（内側ランプ部１Ｂのアウターレンズ１５）は、加飾モール６の背部で該背部に沿って延びるモール背部対応面部１５ｂを有しており、奥面部１５ｃは、モール背部対応面部１５ｂよりも車両後方（外方）に段上げ形成されている。
【００４３】
上述した車両Ｖのモール部材配設構造によれば、リアコンビランプ１（内側ランプ部１Ｂのアウターレンズ１５）における奥面部１５ｃと意匠面部１５ａとの段差（間隙の奥行）Ｄ（図１０参照）を小さくして、外観品質を向上させることができる。
【００４４】
また、本実施形態の車両Ｖのモール部材配設構造では、加飾モール６は、奥面部１５ｃの車両後方（外方）において、車両後方（外方）に凹設している。
【００４５】
上述した車両Ｖのモール部材配設構造によれば、加飾モール６を車両後方（外方）に凹設した分、奥面部１５ｃを車両後方（外方）に設定することができる。これにより、リアコンビランプ１（内側ランプ部１Ｂのアウターレンズ１５）における奥面部１５ｃと意匠面部１５ａとの段差（間隙の奥行）Ｄを小さくして、外観品質を向上させることができる。
【００４６】
また、本実施形態の車両Ｖのモール部材配設構造では、リフトゲート本体４は、奥面部１５ｃの車両前方（内方）において、車両前方（内方）に凹設している。
【００４７】
上述した車両Ｖのモール部材配設構造によれば、リフトゲート２の厚みが増大することを抑制することができる。
【００４８】
また、本実施形態の車両Ｖのモール部材配設構造では、奥面部１５ｃと意匠面部１５ａとは、同色（ここでは赤色）の着色が施されている。
【００４９】
上述した車両Ｖのモール部材配設構造によれば、間隙領域Ａｔｒが小さく見える効果を視覚的に強調することができ、これによって、外観品質をより向上させることができる。
【００５０】
また、本実施形態の車両Ｖのモール部材配設構造では、尖頭部１５ｄは、リアコンビランプ１（内側ランプ部１Ｂのアウターレンズ１５）の上部に形成されている。
【００５１】
上述した車両Ｖのモール部材配設構造によれば、外観品質向上の効果がより顕著になる。詳しくは、車両Ｖを外部から見る時の視線は、上方から下方に向けられるのが一般的であり、尖頭部１５ｄが上部に位置している場合には、間隙領域Ａｔｒがより目立つことになる。従って、尖頭部１５ｄ（間隙領域Ａｔｒ）がリアコンビランプ１（内側ランプ部１Ｂのアウターレンズ１５）の上部に形成された場合には、外観品質向上の効果がより顕著になる。
【００５２】
また、本実施形態の車両Ｖのモール部材配設構造では、加飾モール６は、その先端が車幅方向外方を向くように延設され、意匠面部１５ａは、車幅方向内方側端部が尖頭部１５ｄで構成されている。
【００５３】
上述した車両Ｖのモール部材配設構造によれば、例えば、左右両端部に一対のリアコンビランプ１、１が配設されるような構成である場合、本実施形態のように１つの加飾モール６でリアコンビランプ１、１同士を連結するようなデザインを実現できる。これにより、間隙領域Ａｔｒの見栄え向上による外観品質の向上、及び水平基調のデザイン実現という効果に加え、一対のリアコンビランプ１、１と加飾モール６との間に一体感のある斬新なデザインを提供することができる。
【００５４】
この発明の構成と、上述の実施形態との対応において、
この発明の灯体は、リアコンビランプ１に対応し、
以下同様に、
車体部材は、リフトゲート本体４に対応し、
モール部材は、加飾モール６に対応するも、
この発明は、上述の実施形態の構成のみに限定されるものではなく、多くの実施の形態を得ることができる。
【００５５】
例えば、上述した実施形態では、ハッチバック型の車両Ｖのリフトゲート２に本発明を適用した場合について説明したが、セダンタイプの車両に採用されるトランクリッドや、車両前部のボンネット等に本発明を適用してもよい。また、本発明は、リフトゲート２等の開閉体に限定されるものではなく、モール部材が配設される他の車体の部位にも適用することができる。また、モール部材の先端は、車幅方向内方を向くように延設されても、上下方向を向くように延設されてもよい。また、意匠面部、奥面部を有する灯体としては、ストップランプに限らず、ターンシグナルランプや、車両の後退時にその意思を周囲に報知するバックランプ等であってもよい。
【符号の説明】
【００５６】
１…リアコンビランプ
４…リフトゲート本体
６…加飾モール
１５ａ…意匠面部
１５ｂ…モール背部対応面部
１５ｃ…奥面部
１５ｄ…尖頭部
Ａｔｒ…間隙領域
【図１】
2015189351.tif 000003
【図２】
2015189351.tif 000004
【図３】
2015189351.tif 000005
【図４】
2015189351.tif 000006
【図５】
2015189351.tif 000007
【図６】
2015189351.tif 000008
【図７】
2015189351.tif 000009
【図８】
2015189351.tif 000010
【図９】
2015189351.tif 000011
【図１０】
2015189351.tif 000012
【図１１】
2015189351.tif 000013